(57)【要約】【課題】  浄水器用水栓とホースとの接続部位を回動可能にすることで、キャビネットが前後方向にスライドすることにより発生するホースのねじれを逃がして、浄水器用水栓とホースの接続部位からの水漏れを防ぐことができる浄水器を提供する。【解決手段】  本発明の浄水器は、フィルタカートリッジから延びる原水導入管と浄水導出管のそれぞれの端部に水栓と接続するための接続部があり、上記接続部が、上記原水導入管、上記浄水導出管を構成するホースが接続された口金具と、口金具を挿入できる挿入凹部が形成された継手本体とで構成されており、上記口金具の軸方向への動きを規制する抜け止め部材が、上記挿入凹部の内部の側壁の全周に渡って形成された環状溝にはめられることで、上記口金具が上記継手本体に回動可能に固定されている。【選択図】図１
2020097003.tif 000002
【特許請求の範囲】
【請求項１】
濾材を収納したフィルタカートリッジ、一端がフィルタカートリッジに接続されたフィルタカートリッジへ原水を導入するための原水導入管、および一端がフィルタカートリッジに接続されたフィルタカートリッジから浄水を導出するための浄水導出管を有し、
前記原水導入管の他端および前記浄水導出管の他端は、それぞれ水栓と接続するための接続部であり、
前記接続部は、
相対的に大きな外径の頭部と相対的に小さな外径のホース接続部とで構成された外径に段差のある円筒体であって、ホース接続部に前記原水導入管を構成するホースおよび前記浄水導出管を構成するホースがそれぞれ接続された口金具と、
開口を有する板状体であって、開口の大きさが前記口金具のホース接続部は通り前記口金具の頭部は通らない大きさであり、外縁の最外径が前記口金具の頭部の外径よりも大きな抜け止め部材と、
一端に、前記口金具を挿入するための円形の凹部であって底面には開口があり内部の側壁に全周に渡る環状溝が形成された挿入凹部、を有する継手本体と、
で少なくとも構成され、
前記抜け止め部材を前記ホース接続部にはめた前記口金具が、前記頭部から前記継手本体の前記挿入凹部に挿入されて、挿入された状態で抜け止め部材の外縁が継手本体の前記環状溝にはまることで、口金具が継手本体に回動可能に固定された、
浄水器。
【請求項２】
前記抜け止め部材が穴用Ｃ形止め輪である、請求項１の浄水器。
【発明の詳細な説明】
【技術分野】
【０００１】
本発明は、水道水を浄化する浄水器に関し、さらに詳しくは、キッチン下のキャビネットが前後方向にスライドする、引き出し奥側の板に設置するアンダーシンク型浄水器に関する。
【背景技術】
【０００２】
従来、水道水を浄化する浄水器としては、水道水栓の吐出口に直結する蛇口直結型浄水器、キッチンの上に置いて使用する据置型浄水器、キッチンの内部に置いて使用するアンダーシンク型（またはビルトイン型）浄水器などが知られている。いずれも浄水器用フィルタカートリッジに充填した濾材は処理できる総濾過水量が限られているため、使用者は、浄水器用フィルタカートリッジを定期的に交換しながら浄水器を継続使用する。
【０００３】
アンダーシンク型浄水器は、蛇口直結型浄水器や据置型浄水器に比べて大型であり、処理できる総濾過水量も大きいため長期間使用できる。キッチンの水栓やシンク近傍に浄水器を置かないので、作業の邪魔にならない。
【０００４】
アンダーシンク型浄水器としては、例えば特許文献１のように、原水入口と浄水出口を備え、ワンタッチジョイントを先端に取り付けたホースを接続して使用するものが知られている。使用者は、浄水器用カートリッジをシンク下の空間の底面に置き、原水供給用のホースと、浄水吐出用のホースを接続する。キッチンの水栓を操作すれば容易に浄水を得ることができる。
【０００５】
しかし、このタイプの浄水器は、通常、流し台収納部の奥に設置されており、キッチン下のキャビネットが前後方向にスライド可能な引き出しタイプであると、浄水器を取り出すには手前に収められている物品を取り出さなければならず、交換に手間がかかるという問題があった。
【０００６】
これに対し、例えば特許文献２のように、浄水器用カートリッジのジョイントを保護することができ、さらに浄水器用カートリッジの交換が容易であるカートリッジホルダーと、これを備えるカートリッジ装置が知られている。使用者は、キッチン下のキャビネットの引き出しを使用者の手前側に引き出すことで、カートリッジホルダーから浄水器用カートリッジを容易に取り出すことができ、交換に手間がかからない。
【先行技術文献】
【特許文献】
【０００７】
【特許文献１】特開２００７−２７５８１４号公報
【特許文献２】国際公開第２０１５／１９９１４５号
【発明の概要】
【発明が解決しようとする課題】
【０００８】
しかしながら、特許文献２に提案されているカートリッジ装置は、浄水器用カートリッジがキッチンの流し台に設置された浄水器用水栓に配管及びホースを介して接続されており、キッチン下のキャビネットが前後方向にスライドすることに伴いホースも動き、ホースが動く際に発生するねじれにより、浄水器用水栓とホースとの接続部位から水漏れが起こるおそれがある。
【０００９】
そこで、本発明は、従来の技術における上記の問題点に鑑み、浄水器用水栓とホースとの接続部位を回動可能にすることで、キャビネットが前後方向にスライドすることにより発生するホースのねじれを逃がして、浄水器用水栓とホースとの接続部位からの水漏れを防ぐことができる浄水器を提供する。
【課題を解決するための手段】
【００１０】
上記課題を解決する本発明の浄水器は、
濾材を収納したフィルタカートリッジ、一端がフィルタカートリッジに接続されたフィルタカートリッジへ原水を導入するための原水導入管、および一端がフィルタカートリッジに接続されたフィルタカートリッジから浄水を導出するための浄水導出管を有し、
上記原水導入管の他端および上記浄水導出管の他端は、それぞれ水栓と接続するための接続部であり、
上記接続部は、
相対的に大きな外径の頭部と相対的に小さな外径のホース接続部とで構成された外径に段差のある円筒体であって、ホース接続部に上記原水導入管を構成するホースおよび上記浄水導出管を構成するホースがそれぞれ接続された口金具と、
開口を有する板状体であって、開口の大きさが上記口金具のホース接続部は通り上記口金具の頭部は通らない大きさであり、外縁の最外径が上記口金具の頭部の外径よりも大きな抜け止め部材と、
一端に、上記口金具を挿入するための円形の凹部であって底面には開口があり内部の側壁に全周に渡る環状溝が形成された挿入凹部、を有する継手本体と、
で少なくとも構成され、
上記抜け止め部材を上記ホース接続部にはめた上記口金具が、上記頭部から上記継手本体の上記挿入凹部に挿入されて、挿入された状態で抜け止め部材の外縁が継手本体の上記環状溝にはまることで、口金具が継手本体に回動可能に固定されている。
【００１１】
本発明の浄水器は、上記抜け止め部材が穴用Ｃ形止め輪であることが好ましい。
【発明の効果】
【００１２】
本発明の浄水器によれば、原水導入管、浄水導出管が回転可能に固定されることで、キャビネットが前後方向にスライドすることにより発生するホースのねじれを逃がして、浄水器用水栓とホースとの接続部位からの水漏れを防ぐことができる。
【００１３】
また、本発明の好ましい態様の浄水器によれば、穴用Ｃ形止め輪を用いることで、工具などを用いない限り穴用Ｃ形止め輪を取り外すことができないため、使用者が誤って分解することを防止できる。
【図面の簡単な説明】
【００１４】
【図１】本発明の浄水器の一例を示す斜視図である。
【図２】本発明における接続部の一例を示す断面図である。
【図３】本発明における抜け止め部材の一態様である穴用Ｃ形止め輪を示す斜視図である。
【発明を実施するための形態】
【００１５】
本発明の浄水器の一実施形態を図面に基づいて説明する。  
図１に示すように、キッチン５下のキャビネット４などに浄水器用ホルダ３００が設置されており、浄水器１が浄水器用ホルダ３００に取り付けられている。
【００１６】
図１に図示されているように、この浄水器１は、濾材を収納したフィルタカートリッジ２、原水導入管７および浄水導出管８から構成されている。原水導入管７はフィルタカートリッジ２に原水を導入するためのホースであり、一端がフィルタカートリッジ２に接続されている。浄水導出管８はフィルタカートリッジ２から浄水を導出するためホースであり、一端がフィルタカートリッジ２に接続されている。そして、原水導入管７の他端および浄水導出管８の他端には、それぞれ水栓３と接続するための接続部１０４が取り付けられている。
【００１７】
次に、接続部１０４を構成する各部材について説明する。
図２に示すように、接続部１０４は、口金具１１、継手本体１００、抜け止め部材１０１、Оリング１０３、締結部材１５およびホース体１６から構成されている。
【００１８】
口金具１１は、円筒状の頭部１４とこの頭部１４から延びる円筒状のニップル部（ホース接続部）１３とで構成され、中心部に頭部１４とニップル部１３とを貫通する流路が形成されている。頭部１４の外径はニップル部１３の外径よりも大きくなっており、口金具１４は全体として外径に段差のある円筒体になっている。
【００１９】
ホース体１６はニップル部１３に挿入され、ホース体１６の外周に取り付けた締結部材１５を圧迫して固定することにより、ホース体１６はニップル部１３と締結部材１５の間に固定される。
【００２０】
ホース体１６を圧迫して固定する締結部材１５は、配管用ホースを接続して通水した際に、水が漏れたり、水圧によってホースが抜けないものであればよい。このような締結部材としては、加締めて固定する加締め用スリーブ、ホースクランプ、結束バンドなどがある。
【００２１】
締結部材１５の材料は、ポリプロピレン、ポリアセタール、ポリエチレン、ナイロン、ポリカーボネートなどの安価な樹脂でもよいが、強度の観点から、ステンレス、黄銅、青銅などの金属が好ましい。
【００２２】
図２で図示している口金具１１とホース体１６との接続方式は、ホース体１６の内側にニップル部１３を挿入する方式であるが、例えばワンタッチ継手のように、ホース体１６の外側をシールする方式を採用してもよい。
【００２３】
継手本体１００には円形の凹部である挿入凹部２２０がある。挿入凹部２２０の底面には外部に通ずる開口が開けられており、側壁２４９には全周に渡る環状溝１０２が形成されている。
【００２４】
口金具１１および継手本体１００は、強度の観点から、ステンレス、黄銅、青銅などの金属で製造するのが好ましい。
【００２５】
図２、３に図示されているように、抜け止め部材１０１は全体が板状体であり、内側が開口部１７になっている。開口部１７の大きさは、口金具１１のニップル部１３は通るが頭部１４は通らない大きさになっている。さらに、抜け止め部材１０１の外縁２５０の最外径は、口金具１１の頭部１４の外径よりも大きくなっている。
【００２６】
抜け止め部材１０１をニップル部１３にはめた口金具１１が、継手本体１００の挿入凹部２２０に挿入され、口金具１１が挿入された状態で、抜け止め部材１０１の外縁２５０が継手本体１００の環状溝１０２にはめられている。抜け止め部材１０１は、口金具１１の頭部１４の頭部端面２２３を押さえた状態で環状溝１０２に固定されているので、抜け止め防止部材１０１は、継手本体１００の挿入凹部２２０に口金具１１を軸方向に固定し、口金具１１の脱落を防止していることと併せて、口金具１１の回動を可能にしている。
【００２７】
また、口金具１１の頭部１４の外周面にはＯリング１０３が配置されており、このＯリング１０３が継手本体１００の挿入凹部２２０の内周面に接することにより、口金具１１と継手本体１００とは液密に結合され、口金具１１と継手本体１００との間の液密性が確保されている。
【００２８】
原水導入管７を流れる原水と浄水導出管８を流れる浄水は、それぞれ、口金具１１の頭部１４とニップル部１３とを貫通する流路、および継手本体１００の挿入凹部２２０の底面に開けられた開口を通って、接続部１０４の内部を流れる。
【００２９】
継手本体１００の内部の側壁２４９から環状溝１０２の外径までの長さ、いわゆる環状溝１０２の溝深さは、抜け止め防止部材１０１の耐圧性の確保のためには大きいほうが有利である。一方で、環状溝１０２の溝深さを大きくすると当然ながら継手本体１００のサイズが大きくなりコストが上がる。そのため、耐圧性とコストの兼ね合いを考慮し、環状溝１０２の溝深さは０．４〜２．０ｍｍが好ましい。
【００３０】
抜け止め部材１１の開口部１７は、口金具１１の頭部１４以外の部分が通り、かつ頭部１４の頭部端面２２３を押さえる形状であればよいので、円形状、角形状、長円状形状、Ｕ字形状などの様々な形状で形成できる。これらの中でも、頭部端面２２３と同じ円形状であれば、開口部の大きさを最小にして頭部端面２２３との接触面積を確保できるため、強度の観点から好ましい
図３に開示されている抜け止め部材１０１は、隣接する部材を固定するリング状の穴用Ｃ形止め輪であるが、これには限定されない。
【００３１】
抜け止め部材１０１は、ＡＢＳ樹脂、ポリカーボネート、ポリスチレン、ポリプロピレンなどの樹脂でもよいが、強度の観点から、ステンレス、黄銅、青銅などの金属で製造するのが好ましい。
【００３２】
抜け止め部材１０１の板厚は、耐圧性の確保のため大きいほうが有利であるが、板厚を大きくすると当然ながらコストが上がるため、耐圧性とコストの兼ね合いを考慮し、板厚は０．３〜３．０ｍｍが好ましい。
【００３３】
上記の構造により、原水導入管７と浄水導出管８を回転可能にすることができる。これより、浄水器用水栓３と原水導入管７、浄水器用水栓３と浄水導出管８を接続する際に発生するねじれを逃がして、浄水器用水栓３との接続部位からの水漏れを防ぐことができる。
【００３４】
また、継手本体１００と抜け止め部材１０１は環状溝１０２により強固に固定されるため、浄水器１に高い水圧がかかった場合でも水漏れを防ぐことができる。また、抜け止め部材１０１はプライヤーなどの工具を用いない限り取り外すことができないため、使用者が誤って分解することを防止できる。
【００３５】
次に浄水器１の設置について説明する。本発明の浄水器１の設置場所は、浄水器１がキッチン５の流し台に設置された浄水器用水栓３に原水導入管７および浄水導出管８を介して接続されたものであり、キッチン５下のキャビネット４が前後方向にスライドすることに伴い原水導入管７および浄水導出管８も動く、キッチン５下のキャビネット４に設置して使用するアンダーシンク型浄水器として用いれば、従来の課題を解決できて有効である。
【００３６】
浄水器１の原水導入管７と、浄水導出管８は、キッチン５の浄水器用水栓３に接続されている。浄水器用水栓３のレバーを回すなどして開栓すると、浄水器用水栓３に内蔵された弁機構から原水導入管７に水道水が供給されるようになっている。浄水器１で浄化された浄水が浄水導出管８から浄水器用水栓３に戻り、弁機構を通過せずに浄水器用水栓３の吐出口からそのまま吐出される。すなわち浄水器用水栓３に内蔵された弁機構より下流側に浄水器１が設けられ、止水時には浄水器１に水圧がかからないようになっている。いわゆるＩＩ形の浄水器である。しかしながら本発明の浄水器１はＩＩ形に限定されない。止水時に浄水器１に水圧がかかる、いわゆるＩ形の浄水器として使用してもよい。
【符号の説明】
【００３７】
１  浄水器
２  フィルタカートリッジ
３  水栓(浄水器用水栓)
４  キャビネット
５  キッチン
７  原水導入管
８  浄水導出管
１１  口金具
１３  ニップル部(ホース接続部)
１４  頭部
１５  締結部材(加締め用スリーブ)
１６  ホース体(ホース)
１７  開口部
１００  継手本体
１０１  抜け止め部材
１０２  環状溝
１０４  接続部
２２０  挿入凹部
２４９  内部の側壁
２５０  外縁
３００  浄水器用ホルダ
【図１】
2020097003.tif 000003
【図２】
2020097003.tif 000004
【図３】
2020097003.tif 000005